(57)【特許請求の範囲】
【請求項１】
置き敷き用パネルを連結・支持する固定脚であって、略四辺辺形の本体は、一部に連結部を残した切込みにより４つの分割体に分割でき、各分割体の表面にパネルの裏面の固定穴と嵌合し合う差込み部がそれぞれ立設され、該差込み部には、外周に任意数の係合凸部が形成されていることを特徴とする置き敷き用パネルの固定脚。
【請求項２】
切込みには、角状をなす上方に突出するガイドが設けられていることを特徴とする請求項１記載の置き敷き用パネルの固定脚。
【請求項３】
前記固定脚は、ポリプロピレン又はその他のプラスチック材としたことを特徴とする請求項１又は２記載の置き敷き用パネルの固定脚。
【発明の詳細な説明】
【０００１】
【発明の属する技術分野】
本発明は、建物のバルコニーや屋上の踏み材に用いて好適な置き敷き用パネルを連結・支持し、一体化する固定脚に関するものである。
【０００２】
【従来の技術】
従来の置き敷き用パネルとして、例えば、平面四辺形のコンクリート体の側面に磁気質ビーズ層を形成し、側面部の凹部或いは凸部により、隣接し合うパネルと互いに嵌合して連結させている。
【０００３】
【発明が解決しようとする課題】
ところで、上記パネルは、コンクリート製のため重量があり、取付け施工に不便さがある。しかも、パネルの連結は、側面部の凹・凸部を嵌合し合う構成であるため、一部のパネルの取替えに困難さが伴うし、コンクリート体を床面に直接設置してあるため、水はけの点で課題がある。
【０００４】
【課題を解決するための手段】
本発明は、このような課題を解決したものであり、全体重量が軽量であるパネルを用いて取付け施工の簡素化を図り、さらに、複数のパネルを簡易に連結・支持し、一体化でき、また、水はけが良好な置き敷き用パネルの固定脚を提供することを主たる目的とするものである。
【０００５】
【課題を解決するための手段】
上記目的を達成するため、本発明の要旨は、置き敷き用パネルを連結・支持する固定脚であって、略四辺形の本体は、一部に連結部を残した切込みにより４つの分割体に分割でき、各分割体の表面にパネルの裏面の固定穴と嵌合し合う差込み部がそれぞれ立設され、該差込み部には、外周に任意数の係合凸部が形成されていることを特徴とするものである。
【０００６】
【作用】
本発明によれば、固定脚の差込み部とパネルの固定穴で複数のパネルを連結・支持でき、パネルは固定脚の厚み分だけ、床面から高い状態で固定されるので、水はけがよい。また、固定脚の差込み部とパネルの固定穴は密に嵌合し合って、容易に抜脱しないが、パネル交換は容易に行え、しかも、固定脚には、直角状のガイドが設けられているので、これを目印にパネルの位置決めが簡易に行える。隅部の施工には、固定脚を分割して用いられる。
【０００７】
【発明の実施の形態】
本発明の実施形態を図面を参照しながら説明する。図１は、本発明に係る一部切欠した固定脚を示す斜視図、図２は、同固定脚の平面図、図３は、同固定脚の正面図、図４は、図２のＡ−Ａ断面図、図５は、図２のＢ−Ｂ断面図、図６は、パネルの１例を示す斜視図、図７は、同パネルの裏面側から見た斜視図、図８は、パネルの２例を示す斜視図、図９は、固定脚の使用例を示す説明図、図１０は、同使用例の断面図、図１１は、同異なる使用例の説明図である。
【０００８】
図１〜図５に示す固定脚１を説明する。この固定脚１は、略四辺形の本体２の対角線上に連結部３ａを残した切込み３ｂにより等分に４つの分割体４ａ，４ｂ，４ｃ，４ｄに分割できるように形成されている。図示の例では、この連結部３ａは、互いに隣接し合う分割体４ａ〜４ｄ同志の間で２カ所設けられているが、その連結部の数は任意な事項である。さらに、上記切込み３ｂの上方に長穴５を有する角状のガイド６が連結部３ａに取付けて設けられている。
また、各分割体４ａ〜４ｄの略中央部には、円筒形の差込み部７が窪み８を介して突設され、外周に任意数の係合凸部９，９，…が縦方向に形成してあるが、これに限定されずに係合凸部９，９，…は、横方向や斜め方向などでもよいし、その凸部の形状も任意な事項である。なお、図示では、この差込み部７は、円筒形に形成してあるが、円柱形や多角形に形成するなど任意な事項である。
【０００９】
固定脚１は、ポリプロピレンで成形するのが望ましいが、その他のプラスチック材を使用できる。なお、本体２の頂部は、切取って平ら面１０としてあり、各分割体４ａ〜４ｄの側面は、斜面１１としてある。また、本体２の中心に窓穴１２が設けてある。
【００１０】
次に、上記固定脚１を使用するパネルを説明する。図６及び図７に示すパネル１５は、下層材１６と上層材１７とからなり、下層材１６は、珪酸カルシウム板１８を用い、上層材１７は、ゴムチップを接着剤樹脂で所定の厚みに固化してなる連続多孔質板１９を用いて構成されている。連続多孔質板１９は、珪酸カルシウム板１８の縁辺から若干突出させているが、図示を省略するが、珪酸カルシウム板１８の縁辺から側面の一部を被覆するようにしてもよいし、連続多孔質板１９と珪酸カルシウム板１８の縁辺は、何れをも突出させないで同じ端縁としてもよく、この構成のパネルの敷設の場合、隣接し合うパネル同志は、所要の隙間を設けて対向させるとよい。なお、この連続多孔質板１９は、その材質上水はけがよい透水性を有している。
そして、下層材１６を構成する珪酸カルシウム板１８の下面に４つの側面に開放する排水用溝２０，２０，…が格子状に形成され、水はけが良好になるように考慮してあり、また、下面の四隅に固定穴２１がそれぞれ設けてある。
【００１１】
図８に示すパネル２５は、上記パネル１５の珪酸カルシウム板１８と異なり、珪酸カルシウム板１８の下面が平ら面２６としてあり、その四隅に固定穴２１がそれぞれ設けてある。この下面を平ら面２６とすることは、上記排水用溝２０を形成したものに比べ、直接床面にパネル２５を設置すると、水はけの作用が劣るが、本発明の場合、何れも固定脚１を用いるので、その差異はない。
【００１２】
固定脚１を用いてパネル１５，２５の施工方法を図９〜図１１に示す例で説明する。例えば、バルコニーの床面３０に固定脚１を置き、分割体４ａの差込み部７にパネル１５の固定穴２１を合わせて差込み、以下同様に分割体４ｂ，４ｃ，４ｄの順で差込み部７に３枚のパネル１５，２５の固定欠２１，２１，…を順次差込む。この場合、各分割体４ａ，４ｂ，４ｃ，４ｄには、それぞれ直角状のガイド６，６が設けられているので、これを目印にパネル１５，２５の隅部を当接させ、パネル１５，２５の固定穴２１と差込み部７を合わせればよく、図示のように、１つの固定脚１に４枚のパネル１５，２５が連結・支持され、パネルは一体化される。
【００１３】
また、図１１に示すように、コーナーなど隅部３１の施工には、固定脚１を切込み３ｂの連結部３ａから切離することにより、用いる１つ或いは２つに分割した分割体４ａ〜４ｄでパネル１５，２５を連結・支持できる。
【００１４】
このように本発明の固定脚は、その差込み部とパネルの固定穴で複数のパネルを連結・支持でき、パネルは固定脚の厚み分だけ、床面から高い状態で固定される。また、固定脚の差込み部とパネルの固定穴は密に嵌合し合い、容易に抜脱することがないし、その取付け施工やパネルの交換などが容易となる。しかも、固定脚には、直角状の突出するガイドがあり、これを目印にパネルの位置決めが簡易に行え、隅部の施工には、固定脚を分割して用いることができる。
【００１５】
本発明者らが実施した具体例を説明すると、固定脚１は、１０ｃｍ×１０ｃｍ、厚さ５ｍｍのポリプロピレンで成形した。パネル１５は、下層材１６の珪酸カルシウム板１８は、嵩密度０．７〜１．８ｇ／ｃｍ３のものを２９２ｍｍ×２９２ｍｍ、厚さ１６ｍｍに形成し、上層材１７の連続多孔質板１９は、粒径０．１ｍｍ〜１０．０ｍｍのゴムチップ５０〜９０ｗｔ％と接着剤樹脂５０〜１０ｗｔ％を配合して厚さ４ｍｍに成形した。
【００１６】
【発明の効果】
以上の構成からなる本発明の固定脚は、各分割体に差込み部がそれぞれ立設され、切込みを介して４つの分割体に分割でき、また、各分割体に突出するガイドが設けられている構成に特徴があるから、次にような効果が得られる。
▲１▼  パネルは固定脚の厚み分だけ、床面から高い状態で固定されるので、雨水はパネルの下面を通って流れ、水はけがよい。
▲２▼  固定脚の差込み部とパネルの固定穴は密に嵌合し合っており、風雨などでパネルが抜脱することがない。
▲３▼  パネルは、固定脚の差込み部から固定穴を抜けばよく、パネル交換が容易となる。
▲４▼  固定脚には、突出するガイドがあり、これを目印にパネルの位置決めが簡易となる。
▲５▼  固定脚は、最大４つの分割体に分割でき、隅部の施工が簡素化される。
▲６▼  パネルには、上層材に連続多孔質板を用いているので、歩行時の衝撃音を低減でき、滑りにくく、かつ弾力性があるので、歩行性がよく、水はけがよい。また、重さは全体が軽量となる。
【図面の簡単な説明】
【図１】本発明に係る一部切欠した固定脚を示す斜視図。
【図２】同固定脚の平面図。
【図３】同固定脚の正面図。
【図４】図２のＡ−Ａ断面図。
【図５】図２のＢ−Ｂ断面図。
【図６】パネルの１例を示す斜視図。
【図７】同パネルの裏面側から見た斜視図。
【図８】パネルの２例を示す斜視図。
【図９】固定脚の使用例を示す説明図。
【図１０】同使用例の断面図。
【図１１】同異なる使用例の説明図。
【符号の説明】
１            固定脚
２            本体
４ａ〜４ｄ    分割体
１５，２５    パネル
２１          固定穴
【図１】
0003683438.tif 000002
【図２】
0003683438.tif 000003
【図３】
0003683438.tif 000004
【図４】
0003683438.tif 000005
【図５】
0003683438.tif 000006
【図６】
0003683438.tif 000007
【図７】
0003683438.tif 000008
【図８】
0003683438.tif 000009
【図９】
0003683438.tif 000010
【図１０】
0003683438.tif 000011
【図１１】
0003683438.tif 000012